(57)【特許請求の範囲】
【請求項１】
遮断器を介して系統電源と連系される自家用発電設備の系統連系保護装置において、
前記自家用発電設備の出力から周波数を検出する周波数検出手段と、
前記周波数検出手段により検出された周波数の変化率を検出する周波数変化率検出手段と、
前記周波数変化率検出手段により検出された周波数変化率に基づいて、当該周波数変化率が正である場合には前記自家用発電設備の進み無効電力を増加（出力電圧を低下）させ、前記周波数変化率が負である場合には前記自家用発電設備の遅れ無効電力を増加（出力電圧を上昇）させる電圧変動基準をそれぞれ出力するように、前記周波数変化率と電圧変動基準との関係を関数で定義する電圧変動基準決定手段と、
前記電圧変動基準決定手段から出力される電圧変動基準を入力とし、前記自家用発電設備の電圧制御にかかる応答特性（伝達関数）を補償するように前記電圧変動基準を補償する伝達関数補償手段と、
前記伝達関数補償手段により補償して得られた前記電圧変動基準を前記発電設備の自動電圧調整装置の電圧基準に加算することで生じる前記自家用発電設備の電圧変動に伴なって助長される周波数変動を検出し、前記遮断器を開放して系統母線から前記自家用発電設備を解列させる保護手段と、
を備えて成ることを特徴とする発電設備の系統連系保護装置。
【請求項２】
遮断器を介して系統電源と連系される自家用発電設備の系統連系保護装置において、
前記自家用発電設備の出力から周波数を検出する周波数検出手段と、
前記周波数検出手段により検出された周波数の変化率を検出する周波数変化率検出手段と、
前記周波数変化率検出手段により検出された周波数変化率に基づいて、当該周波数変化率が正である場合には前記自家用発電設備の進み無効電力を増加（出力電圧を低下）させ、前記周波数変化率が負である場合には前記自家用発電設備の遅れ無効電力を増加（出力電圧を上昇）させる電圧変動基準をそれぞれ出力するように、前記周波数変化率と電圧変動基準との関係を関数で定義すると共に、前記関数のゲインを複数段で切り換え可能または前記関数の形状を複数段で切り換え可能とした電圧変動基準決定手段と、
前記周波数変化率検出手段により検出された周波数変化率に対して複数のしきい値を設定し、当該各しきい値を越える毎に前記電圧変動基準決定手段に対して前記関数のゲイン切り換えまたは前記関数の形状切り換えの切り換え指令を出力する電圧変動基準切り換え手段と、
前記電圧変動基準決定手段から出力される電圧変動基準を入力とし、前記自家用発電設備の電圧制御にかかる応答特性（伝達関数）を補償するように前記電圧変動基準を補償する伝達関数補償手段と、
前記伝達関数補償手段により補償して得られた前記電圧変動基準を前記発電設備の自動電圧調整装置の電圧基準に加算することで生じる前記自家用発電設備の電圧変動に伴なって助長される周波数変動を検出し、前記遮断器を開放して系統母線から前記自家用発電設備を解列させる保護手段と、
を備えて成ることを特徴とする発電設備の系統連系保護装置。
【請求項３】
前記請求項１または請求項２に記載の発電設備の系統連系保護装置において、
前記遮断器を介して系統電源と連系される自家用発電設備が同一配電系統に複数存在し、当該それぞれの自家用発電設備が前記請求項１または請求項２に記載の系統連系保護装置を備えている場合に、
前記それぞれの自家用発電設備における前記伝達関数補償手段による補償により前記それぞれの自家用発電設備の電圧制御にかかる応答特性（伝達関数）が同一となるように、前記それぞれの自家用発電設備の前記伝達関数補償手段の補償値を設定するようにしたことを特徴とする発電設備の系統連系保護装置。
【発明の詳細な説明】
【０００１】
【発明の属する技術分野】
本発明は、遮断器を介して系統電源と連系される、ゴミ発電システム、コージェネレーション等の自家用発電設備の系統連系保護装置に係り、特に高価な転送遮断装置を設けることなく、系統連系中の自家用発電設備の単独運転を自家用発電設備側で確実にかつ容易に検出して保護できるようにした発電設備の系統連系保護装置に関するものである。
【０００２】
【従来の技術】
従来から、一般需要家がゴミ発電システム、コージェネレーション等の自家用発電設備と系統電源とを連系するために、例えば図１２のブロック図に示すような系統連系保護装置が用いられている。
【０００３】
すなわち、図１２において、上位変電所４では、系統電源１の電圧を変圧器２を介して降圧し、遮断器３を通して一般需要家７に電力を供給している。一般需要家７では、遮断器５を介して負荷６に電力を供給している。
【０００４】
一方、自家用発電設備１０では、交流発電機１２の出力を、遮断器１１を介して系統電源１と連系している。
【０００５】
交流発電機１２の出力電圧の制御は、自動電圧調整装置（ＡＶＲ）１３により交流発電機１２の界磁巻線１４の電圧を制御することによって行ない、交流発電機１２の出力周波数の制御は、交流発電機１２を駆動するエンジン１６の調速機１５によりエンジンパワーを制御することによって行なわれている。
【０００６】
また、故障検出手段として、発電機１２の出力電流を変流器２１で検出し、発電機１２の出力電圧との関係から発電機異常検出回路２２で異常電流を検出し、この検出信号を故障トリップ回路２３に与えて遮断器１１を開放するようにしている。
【０００７】
この他に、保護手段として、遮断器１１の出力側（変電所側）に変流器２４を設け、過電流継電器（ＯＣ）２５により故障トリップ回路２３を動作させるようにしている。
【０００８】
また、系統電源１の異常時、特に系統電源１が遮断された場合、例えば遮断器３が開放になった時、交流発電機１２の出力電力と負荷６の負荷電力とのアンバランスから、周波数や電圧が異常となることを、周波数低下継電器（ＵＦ）２６、周波数上昇継電器（ＯＦ）２７、過電圧継電器（ＯＶ）２８、不足電圧継電器（ＵＶ）２９等の保護継電器により検出する。
【０００９】
そして、これらの検出信号に基づいて、故障トリップ回路２３が遮断器１１に対してトリップ指令を与えて遮断器１１を開放し、遮断器３の再閉路が可能な状態としている。
【００１０】
【発明が解決しようとする課題】
ところで、このような発電設備の系統連系保護装置においては、例えば系統電源１に異常が発生して遮断器３が開となった時に、交流発電機１２の出力電力と負荷６の所要電力が、有効分および無効分共にほぼ等しくなっていると、周波数も電圧もほとんど変化しないので、保護継電器２５〜２９のいずれも動作せず、運転を継続する。いわゆる単独運転（アイランディング）現象が発生し、遮断器３の再閉路を妨げることになる。
【００１１】
そこで、従来では、このような単独運転を防ぐ目的で、変電所４からの専用線により接続された転送遮断装置８を設けて、遮断器１１に対して転送遮断を実施する方法が採用されているものがある。
【００１２】
すなわち、この転送遮断装置８は、上位変電所４の遮断器３が開となった信号を検出した時に、遮断器１１に対して遮断信号を送って遮断器１１を開放するものである。
【００１３】
しかしながら、この種の転送遮断装置８は、数百ｋＷ程度の出力である中小容量の自家用発電設備１０にとっては、非常にコストが高く、系統連系による実用上のメリットが少ない。
【００１４】
本発明の目的は、高価な転送遮断装置を設けることなく、系統連系中の自家用発電設備の単独運転を自家用発電設備側で確実にかつ容易に検出して保護することが可能な発電設備の系統連系保護装置を提供することにある。
【００１５】
【課題を解決するための手段】
上記の目的を達成するために、請求項１に対応する発明の発電設備の系統連系保護装置は、遮断器を介して系統電源と連系される自家用発電設備の出力から周波数を検出する周波数検出手段と、周波数検出手段により検出された周波数の変化率を検出する周波数変化率検出手段と、周波数変化率検出手段により検出された周波数変化率に基づいて、当該周波数変化率が正である場合には自家用発電設備の進み無効電力を増加（出力電圧を低下）させ、周波数変化率が負である場合には自家用発電設備の遅れ無効電力を増加（出力電圧を上昇）させる電圧変動基準をそれぞれ出力するように、周波数変化率と電圧変動基準との関係を関数で定義する電圧変動基準決定手段と、電圧変動基準決定手段から出力される電圧変動基準を入力とし、自家用発電設備の電圧制御にかかる応答特性（伝達関数）を補償するように電圧変動基準を補償する伝達関数補償手段と、伝達関数補償手段により補償して得られた電圧変動基準を発電設備の自動電圧調整装置の電圧基準に加算することで生じる自家用発電設備の電圧変動に伴なって助長される周波数変動を検出し、遮断器を開放して系統母線から自家用発電設備を解列させる保護手段とを備えている。
【００１６】
従って、請求項１に対応する発明の発電設備の系統連系保護装置においては、自家用発電設備の周波数の変化率を検出し、周波数変化率が正の場合には電圧低下指令を得て、周波数変化率が負の場合には電圧上昇指令を得て、さらに自家用発電設備の電圧制御にかかる応答特性（伝達関数）を補償するように電圧変動基準を補償して得られる電圧変動基準を自動電圧調整装置に与えることで、自家用発電設備の出力電圧を変化させることにより、周波数変動を拡大して、前述した従来のように高価な転送遮断装置を設けることなく、系統連系中の自家用発電設備の単独運転を自家用発電設備側で確実にかつ容易に検出して保護することができる。
【００１７】
また、請求項２に対応する発明の発電設備の系統連系保護装置は、遮断器を介して系統電源と連系される自家用発電設備の出力から周波数を検出する周波数検出手段と、周波数検出手段により検出された周波数の変化率を検出する周波数変化率検出手段と、周波数変化率検出手段により検出された周波数変化率に基づいて、当該周波数変化率が正である場合には自家用発電設備の進み無効電力を増加（出力電圧を低下）させ、周波数変化率が負である場合には自家用発電設備の遅れ無効電力を増加（出力電圧を上昇）させる電圧変動基準をそれぞれ出力するように、周波数変化率と電圧変動基準との関係を関数で定義すると共に、関数のゲインを複数段で切り換え可能または関数の形状を複数段で切り換え可能とした電圧変動基準決定手段と、周波数変化率検出手段により検出された周波数変化率に対して複数のしきい値を設定し、当該各しきい値を越える毎に電圧変動基準決定手段に対して関数のゲイン切り換えまたは関数の形状切り換えの切り換え指令を出力する電圧変動基準切り換え手段と、電圧変動基準決定手段から出力される電圧変動基準を入力とし、自家用発電設備の電圧制御にかかる応答特性（伝達関数）を補償するように電圧変動基準を補償する伝達関数補償手段と、伝達関数補償手段により補償して得られた電圧変動基準を発電設備の自動電圧調整装置の電圧基準に加算することで生じる自家用発電設備の電圧変動に伴なって助長される周波数変動を検出し、遮断器を開放して系統母線から自家用発電設備を解列させる保護手段とを備えている。
【００１８】
従って、請求項２に対応する発明の発電設備の系統連系保護装置においては、多段階検出の手法により、系統連系中には系統に与える影響を少なくし、単独運転時には周波数変動を早く拡大する動作に加えて、多段階検出の初期段階では自家用発電設備の電圧制御にかかる応答特性（伝達関数）を補償するように電圧変動基準を補償し、単独運転時の周波数変動を拡大して、周波数や周波数変化率異常を検出することにより、周波数変動を拡大して、前述した従来のように高価な転送遮断装置を設けることなく、系統連系中の自家用発電設備の単独運転を自家用発電設備側でより一層確実にかつ容易に検出して保護することができる。
【００１９】
一方、請求項３に対応する発明の発電設備の系統連系保護装置は、上記請求項１または請求項２に対応する発明の発電設備の系統連系保護装置において、遮断器を介して系統電源と連系される自家用発電設備が同一配電系統に複数存在し、当該それぞれの自家用発電設備が上記請求項１または請求項２に対応する発明の系統連系保護装置を備えている場合に、それぞれの自家用発電設備における伝達関数補償手段による補償によりそれぞれの自家用発電設備の電圧制御にかかる応答特性（伝達関数）が同一となるように、それぞれの自家用発電設備の伝達関数補償手段の補償値を設定するようにしている。
【００２０】
従って、請求項３に対応する発明の発電設備の系統連系保護装置においては、複数の自家用発電設備の周波数の変化率を検出し、周波数変化率が正の場合には電圧低下指令を得て、周波数変化率が負の場合には電圧上昇指令を得て、さらに複数の自家用発電設備の電圧制御にかかる応答特性（伝達関数）を同一の応答特性とすべく補償するように電圧変動基準を補償して得られる電圧変動基準を自動電圧調整装置に与えることで、自家用発電設備の出力電圧を変化させることにより、複数の自家用発電設備が同一配電系統に連系されているような場合でも、周波数変動を拡大して、前述した従来のように高価な転送遮断装置を設けることなく、系統連系中の自家用発電設備の単独運転を自家用発電設備側で確実にかつ容易に検出して保護することができる。
【００２１】
【発明の実施の形態】
以下、本発明の実施の形態について図面を参照して詳細に説明する。
【００２２】
（第１の実施の形態）
図１は、本実施の形態による発電設備の系統連系保護装置の構成例を示すブロック図であり、図１２と同一部分には同一符号を付してその説明を省略し、ここでは異なる部分についてのみ述べる。
【００２３】
図１に示すように、本実施の形態による発電設備の系統連系保護装置が、前記図１２に示した従来の発電設備の系統連系保護装置と異なる点は、前述した高価な転送遮断装置８を省略し、その代わりに、以下のような構成としていることである。
【００２４】
すなわち、図１に示すように、前記交流発電機１２の出力電圧から、周波数  （ｆ）検出器３１により周波数を検出し、この検出周波数から、周波数変化率  （ｄｆ／ｄｔ）検出器３２により周波数変化率Ｖ３０を検出する。
【００２５】
周波数変化率（ｄｆ／ｄｔ）過大検出器３３は、周波数変化率Ｖ３０が設定値以上になるかどうかを検出し、設定値以上になった場合に異常出力信号Ｖ３１を出力して、故障トリップ回路２３に与える。
【００２６】
故障トリップ回路２３は、異常出力信号Ｖ３１が与えられた場合に、遮断器１１に対してトリップ信号を与えて電路を開放する。
【００２７】
無効電力（Ｑ）検出器３５は、変流器２１により検出された交流発電機１２の出力電流と、交流発電機１２の出力電圧を入力して無効電力Ｑを検出する。
【００２８】
有効電力（Ｐ）検出器３６は、変流器２１により検出された交流発電機１２の出力電流と、交流発電機１２の出力電圧とを入力して、これらを基に有効電力Ｐを検出する。
【００２９】
一方、有効電力制御回路（ＡＰＲ）３８は、有効電力基準（Ｐ* ）設定器３７からの有効電力基準Ｐ* と、有効電力検出器３６からの有効電力Ｐとを比較し、これらの偏差を調速機１５に与えてエンジン１６の原動機制御を行なう。
【００３０】
電圧変動基準決定手段４０は、周波数変化率検出器３２からの周波数変化率Ｖ３０を入力として、電圧変動基準ΔＶ*を出力するものであり、周波数変化率Ｖ３０が正（周波数が上昇中）の場合には、交流発電機１２の出力電圧を低下させて周波数上昇を助長させ、また周波数変化率Ｖ３０が負（周波数が下降中）の場合には、交流発電機１２の出力電圧を上昇させて周波数下降を助長させる電圧変動基準ΔＶ*をそれぞれ出力するように、周波数変化率Ｖ３０と電圧変動基準ΔＶ*との関係を、例えば図２で示すような関数で定義する。
【００３１】
なお、図２では、二つの例の関数（ａ）と（ｂ）について示している。
【００３２】
伝達関数補償手段４１は、電圧変動基準決定手段４０から出力される電圧変動基準ΔＶ*を入力とし、自家用発電設備１０の電圧制御にかかる応答特性（伝達関数）を補償するように電圧変動基準ΔＶ*を補償し、当該補償された電圧変動基準を自動電圧調整装置（ＡＶＲ）１３に入力する。
【００３３】
無効電力制御回路（ＡＱＲ）４５は、無効電力基準（Ｑ* ）設定器４４からの無効電力基準Ｑ* と、無効電力検出器３５で検出した無効電力Ｑとを一致させるための電圧基準ΔＶＱ* を出力する。
【００３４】
自動電圧調整装置（ＡＶＲ）１３は、電圧基準（Ｖ* ）設定器（９０Ｒ）４６からの電圧基準Ｖ* と、無効電力制御回路４５からの電圧基準ΔＶＱ* と、伝達関数補償手段４１により補償された電圧変動基準決定手段４０からの電圧変動基準ΔＶ*とに基づいて、交流発電機１２の出力電圧を制御するように界磁巻線１４の界磁を調整する。
【００３５】
なお、上記において、有効電力基準（Ｐ* ）設定器３７と、有効電力制御回路３８と、調速機１５と、エンジン１６とにより、有効電力制御ループを構成している。
【００３６】
また、無効電力基準設定器４４と、無効電力検出器３５と、無効電力制御回路４５とにより、無効電力制御ループを構成している。
【００３７】
さらに、電圧基準（Ｖ* ）設定器（９０Ｒ）４６と、無効電力制御回路４５の出力である電圧基準ΔＶＱ* と、電圧変動基準決定手段４０からの電圧変動基準ΔＶ* と、伝達関数補償手段４１と、自動電圧調整装置１３とにより、電圧制御ループを構成している。
【００３８】
次に、以上のように構成した本実施の形態による発電設備の系統連系保護装置の作用について、図３乃至図７を参照して説明する。
【００３９】
図３において、いま交流発電機１２の出力の有効電力をＰ、無効電力をＱ、負荷６が必要とする有効電力をＰＬ、無効電力をＱＬとすると、系統電源１へ流出する有効電力ΔＰおよび無効電力ΔＱは、それぞれ次のように表わされる。
【００４０】
ΔＰ＝Ｐ−ＰＬ
ΔＱ＝Ｑ−ＱＬ
ここで、交流発電機１２と系統間のインダクタンス分をｌとし、負荷６の電圧をＶ、周波数をｆとする。
【００４１】
そうすると、通常の場合には、ΔＰ≒０、ΔＱ≒０に近い状態で遮断器３が開となっても、負荷６の電圧Ｖ、周波数ｆはほとんど変化しないため、保護継電器２５〜２９で検出することができず、単独運転を継続することになる。
【００４２】
しかし、系統電源１と負荷６の位相はゆっくりとずれてくるので、遮断器３の再投入は事故拡大につながり危険なために行なえない状態が発生し、配電系統の安定性を低下させることになる。
【００４３】
単独運転中の電圧は、Ｐ＝Ｖ2 ／Ｒで決まる。
【００４４】
一方、単独運転中の周波数ｆは、Ｑ＝（Ｖ2 ωＣ）−（Ｖ2 ／ωＬ）で決まる。
【００４５】
特に、周波数ｆに着目すると、負荷６が要求する無効電力ＱＬよりも、交流発電機１２が供給する無効電力が進み方向にずれている時には、周波数ｆが上昇してコンデンサＣの電流ｉＣが増加し、インダクタンス電流ｉＬが減少して無効電力がバランスする方向に変化する。
【００４６】
また、交流発電機１２が供給する無効電力が負荷６の要求する無効電力ＱＬよりも遅れ方向にずれている時には、周波数ｆが下降してインダクタンス電流ｉＬが増加し、コンデンサ電流ｉＣが減少して無効電力がバランスする方向に変化する。
【００４７】
次に、ΔＰ≒０でΔＱ≠０状態で単独運転になった場合の周波数変動は、図４に示すように、系統遮断（ｔ０）後、周波数ｆが変動しながら安定点ｆ１，ｆ２に接近する。
【００４８】
図４において、ｆ１はΔＱがわずかに進みの場合であり、ｆ２はΔＱがわずかに遅れた場合である。
【００４９】
図４に示す＋Δｆ、−Δｆは、保護継電器２５〜２９で単独運転が検出できるレベルである。
【００５０】
図５は、図１に示す実施の形態の作用効果を説明するための図である。
【００５１】
図５において、ｆは周波数検出器３１に検出された周波数ｆであり、ｄｆ／ｄｔは周波数変化率検出器３２により検出された周波数変化率であり、電圧変動基準ΔＶ* は電圧変動基準決定手段４０の出力を示している。
【００５２】
いま、周波数ｆが図５に示すように変化すると、ｄｆ／ｄｔはこれより９０°位相の進んだ波形となる。
【００５３】
ここで、ｄｆ／ｄｔ＞０の場合には、周波数ｆが上昇中であるので、この間に電圧変動基準決定手段４０から電圧低下指令（進み無効電力指令）が出力され、周波数ｆは更に上昇するように作用する。
【００５４】
また、ｄｆ／ｄｔ＜０の場合には、周波数ｆが下降中であるので、この間に電圧変動基準決定手段４０から電圧上昇指令（遅れ無効電力指令）が出力され、周波数ｆは更に下降するように作用する（図６）。
【００５５】
この時、電圧制御ループにおける指令値に対する応答が遅いと、電圧変動基準ΔＶ*のレベルに至るのが遅く、十分な電圧変動が発生し難い、あるいはオーバーシュートが大きいと、電圧変動基準ΔＶ*のレベル以上に電圧変動が発生して、接続されている機器に悪影響を与えることが考えられる（図７）。
【００５６】
そこで、伝達関数補償手段４１を用いて電圧変動基準ΔＶ*を補償することで、電圧変動状態が改善される。
【００５７】
これは、自動電圧調整装置（ＡＶＲ）１３における調整範囲に限界があること、自家用発電設備１０が既設であって改造が困難である場合等にも極めて有用である。
【００５８】
電圧変動に伴なう正帰還作用によって周波数変動を増大させ、周波数異常や周波数変化率過大を周波数変化率過大検出器３３によって検出することにより、従来用いていた高価な転送遮断装置８を用いなくても、自家用発電設備１０の単独運転を自家用発電設備１０側で確実に検出することができる。
【００５９】
このようにして、自家用発電設備１０の単独運転時の周波数変動を、図４に示すような特性から図６に示すような特性に拡大して、周波数や周波数変化率異常を検出することにより、自家用発電設備１０の単独運転を自家用発電設備１０側で確実に検出することが容易になる。
【００６０】
上述したように、本実施の形態による発電設備の系統連系保護装置では、交流発電機１２の周波数変化率ｄｆ／ｄｔを検出し、周波数変化率がｄｆ／ｄｔ＞０の場合には電圧低下指令を得て、周波数変化率がｄｆ／ｄｔ＜０の場合には電圧上昇指令を得て、さらに自家用発電設備１０の電圧制御にかかる応答特性（伝達関数）を補償するように電圧変動基準を補償して得られる電圧変動基準を自動電圧調整装置１３に与えることで、交流発電機１２の出力電圧を変化させるようにしているので、周波数変動を拡大して、前述した従来のように高価な転送遮断装置８を設けることなく、系統連系中の自家用発電設備１０の単独運転を自家用発電設備１０側で確実にかつ容易に検出して保護することが可能となる。
【００６１】
（第２の実施の形態）
図８は、本実施の形態による発電設備の系統連系保護装置の構成例を示すブロック図であり、図１と同一部分には同一符号を付してその説明を省略し、ここでは異なる部分についてのみ述べる。
【００６２】
図８に示すように、本実施の形態による発電設備の系統連系保護装置が、前記図１に示した発電設備の系統連系保護装置と異なる点は、以下のような構成としていることである。
【００６３】
すなわち、図７に示すように、前記図１における電圧変動基準決定手段４０に下記の機能を追加し、さらに電圧変動基準切り換え手段５１を付加した構成としている。
【００６４】
電圧変動基準決定手段４０は、前述したように、周波数変化率Ｖ３０と電圧変動基準Ｖ３０との関係を関数で定義すると共に、上記関数のゲインを複数段で切り換え可能または上記関数の形状を複数段で切り換え可能としている。
【００６５】
電圧変動基準切り換え手段５１は、前記周波数変化率検出器３２により検出された周波数変化率に対して複数のしきい値を設定し、この各しきい値を越える毎に、電圧変動基準決定手段４０に対して、上記関数のゲイン切り換え、または上記関数の形状切り換えの切り換え指令を出力する。
【００６６】
次に、以上のように構成した本実施の形態による発電設備の系統連系保護装置の作用について、図９を参照して説明する。
【００６７】
図８において、電圧変動基準決定手段４０は、周波数変化率検出器３２からの周波数変化率Ｖ３０を入力し、電圧変動基準ΔＶ* を出力する。
【００６８】
ここで、前述した第１の実施の形態と同様に、周波数変化率が正（周波数が上昇中）の場合には、交流発電機１２の出力電圧を低下させて周波数上昇を助長させ、また周波数変化率が負（周波数が下降中）の場合には、交流発電機１２の出力電圧を上昇させて周波数下降を助長させるような電圧変動基準ΔＶ* を出力する。
【００６９】
電圧変動に基づく周波数変動は、電圧変動が大きいと周波数変動も大きくなる。自家用発電設備１０が、単独運転であるか系統連系中であるかを区別するには、単独運転に陥った時に十分な周波数変動を招く電圧変動を与えることが好ましいが、系統連系中に大きな電圧変動指令を与えることは系統に擾乱を招く要素になることが懸念される。
【００７０】
そこで、最初は系統に悪影響とならないレベルの小さい電圧変動基準ΔＶ* にしておく。最初の電圧変動基準ΔＶ* の働きで、周波数変化率が最初に設定していたしきい値を越えると、電圧変動基準ΔＶ* を大きく与えるようにする。
【００７１】
そして、この影響でさらに周波数変化率が次のしきい値を越えると、さらに電圧変動基準ΔＶ* を大きく与えるようにする。
【００７２】
以上の繰り返しを何回か行ない、単独運転らしきを確認しながら、電圧変動基準ΔＶ* による作用を段階的に大きくする多段階検出の手法を実現する。
【００７３】
この多段階検出の手法は、複数の周波数変化率しきい値を持ち、電圧変動基準決定手段４０に電圧変動基準の切り換え指令を出力する電圧変動基準切り換え手段５１により実現する。
【００７４】
また、電圧変動基準決定手段４０においては、周波数変化率から電圧変動基準を決定する関数のゲインの切り換えまたは関数の形状を切り換え可能とし、電圧変動基準切り換え手段５１からの指令に応じて切り換える。
【００７５】
図９は、電圧変動基準を決定する関数の一例を示すイメージ図で、関数を複数段用意し、リミットレベルを設けることもできる。
【００７６】
伝達関数補償手段４１は、前述した第１の実施の形態と同様に作用し、多段階検出の手法において電圧変動基準ΔＶ*を補償することで、電圧変動状態が改善される。
【００７７】
このようにして、多段階検出の手法により、系統連系中には系統に与える影響を少なくし、単独運転時には周波数変動を早く拡大する動作に加えて、多段階検出の初期段階では自家用発電設備１０の電圧制御にかかる応答特性（伝達関数）を補償するように電圧変動基準を補償し、自家用発電設備１０の単独運転時の周波数変動を、図４に示すような特性から図６に示すような特性に拡大して、周波数や周波数変化率異常を検出することにより、自家用発電設備１０の単独運転を自家用発電設備１０側で確実に検出することが容易になる。
【００７８】
上述したように、本実施の形態による発電設備の系統連系保護装置では、交流発電機１２の周波数変化率ｄｆ／ｄｔを検出し、周波数変化率がｄｆ／ｄｔ＞０の場合には電圧低下指令を得て、周波数変化率がｄｆ／ｄｔ＜０の場合には電圧上昇指令を得、さらにこの際に多段階にゲインを切り換えることで電圧指令の大きさを切り換え、多段階検出の初期段階では自家用発電設備１０の電圧制御にかかる応答特性（伝達関数）を補償するように電圧変動基準を補償し、単独運転時の周波数変動を拡大して、周波数や周波数変化率異常を検出するようにしているので、周波数変動を拡大して、前述した従来のように高価な転送遮断装置８を設けることなく、系統連系中の自家用発電設備１０の単独運転を自家用発電設備１０側でより一層確実にかつ容易に検出して保護することが可能となる。
【００７９】
（第３の実施の形態）
図１０は、本実施の形態による発電設備の系統連系保護装置の要部構成例を示すブロック図であり、図１および図８と同一部分には同一符号を付してその図示および説明を省略し、ここでは異なる部分についてのみ述べる。
【００８０】
図１０に示すように、本実施の形態による発電設備の系統連系保護装置が、前記図１および図８に示した発電設備の系統連系保護装置と異なる点は、以下のような構成としていることである。
【００８１】
すなわち、図１０に示すように、前記図１または図８において、自家用発電設備１０が同一配電系統に複数（本例では２つ）存在し、当該それぞれの自家用発電設備１０が、前記第１または第２の実施の形態で説明した系統連系保護装置を備えた構成としている。
【００８２】
ここで、それぞれの自家用発電設備１０における前記伝達関数補償手段による補償によりそれぞれの自家用発電設備１０の電圧制御にかかる応答特性（伝達関数）が同一となるように、それぞれの自家用発電設備１０の伝達関数補償手段の補償値を設定している。
【００８３】
次に、以上のように構成した本実施の形態による発電設備の系統連系保護装置の作用について、図１１を参照して説明する。
【００８４】
図１０において、それぞれの自家用発電設備１０では、前記電圧変動基準決定手段４０１，４０２からの電圧変動基準ΔＶ*は、伝達関数補償手段４１１，４１２により自家用発電設備１０の電圧制御にかかる応答特性（伝達関数）を補償するように補償されて、自動電圧調整装置（ＡＶＲ）１３１，１３２に入力される。
【００８５】
この場合、図１１（ａ）に示すように、一方の自家用発電設備１０における伝達関数補償手段４１１による補償としては、一方の自家用発電設備１０における電圧制御にかかる応答特性Ｇ１（Ｓ）に対する補償が、Ｇ０（Ｓ）／Ｇ１（Ｓ）で行なわれる（Ｇ１（Ｓ）は、自動電圧調整装置（ＡＶＲ）１３１等からなる）。
【００８６】
また、図１１（ｂ）に示すように、他方の自家用発電設備１０における伝達関数補償手段４１２による補償としては、他方の自家用発電設備１０における電圧制御にかかる応答特性Ｇ２（Ｓ）に対する補償が、Ｇ０（Ｓ）／Ｇ２（Ｓ）で行なわれる。
このようにすることで、一方の自家用発電設備１０と他方の自家用発電設備１０における電圧変動基準ΔＶ*に対する応答は、Ｇ０（Ｓ）で同一となる。
【００８７】
一方の自家用発電設備１０における電圧変動基準ΔＶ＊に基づく電圧変動と、他方の自家用発電設備１０における電圧変動基準ΔＶ＊に基づく電圧変動との様相が異なると、電圧変動の方向が逆極性になり電圧変動を相殺するとまではならないまでも、それぞれの発電機による電圧変動のレベルに格差があると、発電機の働きの一部が発電機間の無効電力横流という形で消費され、それぞれの発電機の働きが十分活かされない。
【００８８】
そこで、それぞれの自家用発電設備１０の電圧制御にかかる応答特性（伝達関数）を同一の応答特性とするように電圧変動基準ΔＶ*を補償することで、複数の自家用発電設備１０において、電圧変動基準ΔＶ*に基づく充分な電圧変動を得ることができる。
【００８９】
上述したように、本実施の形態による発電設備の系統連系保護装置では、複数の自家用発電設備１０の交流発電機１２の周波数変化率ｄｆ／ｄｔを検出し、周波数変化率がｄｆ／ｄｔ＞０の場合には電圧低下指令を得て、周波数変化率がｄｆ／ｄｔ＜０の場合には電圧上昇指令を得て、さらに複数の自家用発電設備１０の電圧制御にかかる応答特性（伝達関数）を同一の応答特性とすべく補償するように電圧変動基準を補償して得られる電圧変動基準を自動電圧調整装置１３１，１３２に与えることで、自家用発電設備１０の出力電圧を変化させるようにしているので、複数の自家用発電設備１０が同一配電系統に連系されているような場合でも、周波数変動を拡大して、前述した従来のように高価な転送遮断装置を設けることなく、系統連系中の自家用発電設備１０の単独運転を自家用発電設備１０側で確実にかつ容易に検出して保護することが可能となる。
【００９０】
【発明の効果】
以上説明したように、本発明の発電設備の系統連系保護装置によれば、高価な転送遮断装置を設けることなく、系統連系中の自家用発電設備の単独運転を自家用発電設備側で確実にかつ容易に検出して保護することが可能となる。
【００９１】
さらに、本発明の発電設備の系統連系保護装置によれば、複数の自家用発電設備１０が同一配電系統に連系されているような場合でも、系統連系中の自家用発電設備の単独運転を自家用発電設備側で確実にかつ容易に検出して保護することが可能となる。
【図面の簡単な説明】
【図１】本発明による発電設備の系統連系保護装置の第１の実施の形態を示すブロック図。
【図２】同第１の実施の形態による発電設備の系統連系保護装置における電圧変動基準を決定する関数の形状例を示す図。
【図３】同第１の実施の形態による発電設備の系統連系保護装置における動作を説明するための図。
【図４】同第１の実施の形態による発電設備の系統連系保護装置における動作を説明するための図。
【図５】同第１の実施の形態による発電設備の系統連系保護装置における動作を説明するための図。
【図６】同第１の実施の形態による発電設備の系統連系保護装置における動作を説明するための図。
【図７】同第１の実施の形態による発電設備の系統連系保護装置の電圧制御ループにおける指令値応答を示す特性図。
【図８】本発明による発電設備の系統連系保護装置の第２の実施の形態を示すブロック図。
【図９】同第２の実施の形態による発電設備の系統連系保護装置における多段階検出手法における電圧変動基準を決定する関数の形状例を示す図。
【図１０】本発明による発電設備の系統連系保護装置の第３の実施の形態を示す要部ブロック図。
【図１１】本発明による発電設備の系統連系保護装置の第３の実施の形態の前提を説明するための構成図。
【図１２】従来の発電設備の系統連系保護装置の構成例を示すブロック図。
【符号の説明】
１…系統電源、２…変圧器、３，５，１１…遮断器、４…上位変電所、６…負荷、７…一般需要家、１０…自家用発電設備、１２…交流発電機、１３，１３１，１３２…自動電圧調整装置（ＡＶＲ）、１４…界磁巻線、１５…調速機、１６…エンジン、２０…系統連系保護装置、２１，２４…変流器、２２…発電機異常検出器、２３…故障トリップ回路、２５…過電流継電器（ＯＣ）、２６…周波数低下継電器（ＵＦ）、２７…周波数上昇継電器（ＯＦ）２８…過電圧継電器（ＯＶ）、２９…不足電圧継電器（ＵＶ）、３１…周波数継電器、３２…周波数変化率検出器、３３…周波数変化率過大検出器、３５…無効電力検出器、３６…有効電力検出器、３７…有効電力基準設定器、３８…有効電力制御回路（ＡＰＲ）、４０，４０１，４０２…電圧変動基準決定手段、４１，４１１，４１２…伝達関数補償手段、４４…無効電力基準設定器、４５…無効電力制御回路（ＡＱＲ）、４６…電圧基準設定器（９０Ｒ）、５１…電圧変動基準切り換え手段。
【図１】
0003751829.tif 000002
【図２】
0003751829.tif 000003
【図３】
0003751829.tif 000004
【図４】
0003751829.tif 000005
【図５】
0003751829.tif 000006
【図６】
0003751829.tif 000007
【図７】
0003751829.tif 000008
【図８】
0003751829.tif 000009
【図９】
0003751829.tif 000010
【図１０】
0003751829.tif 000011
【図１１】
0003751829.tif 000012
【図１２】
0003751829.tif 000013